(57)【要約】  本発明は測定ギャップmeasurement gapに基づく端末スケジューリング方法及び装置を開示する。前記方法は、システム側がmeasurement gapの測定状態に位置する端末をスケジューリングする必要がある時、端末のダウンリンクスケジューリング情報或はアップリンク許可情報がmeasurement gap測定期間に送信されるかどうかを判断するだけでなく、端末のダウンリンクスケジューリングフィードバック、アップリンクデータフィードバック或はアップリンク許可が対応するアップリンクデータがmeasurement gap測定期間に送信されるかどうかをも判断し、以上の情報がいずれもmeasurement gap測定期間に送信されないと、前記端末を正常にスケジューリングすることを備え、前記装置は、判断モジュール、スケジューリングモジュール及び端末情報取得モジュールを備える。本発明は端末処理を簡素化させ、且つシステムリソースを節約させることができる。【選択図】図１
2012526503.tif 000002
【特許請求の範囲】
【請求項１】
端末スケジューリング方法であって、
システム側が測定ギャップ(measurement gap)の測定状態に位置する端末をスケジューリングする必要がある時、
前記端末のダウンリンクスケジューリング情報或はアップリンク許可情報の送信がmeasurement gap測定期間においてあるかどうかを判断し、 measurement gap測定期間においてあると、今回前記端末に対してスケジューリングを行わなく、measurement gap測定期間においてないと、ステップ2を実行するステップ1と、
前記端末のダウンリンクスケジューリングフィードバック、アップリンクデータフィードバック或はアップリンク許可が対応するアップリンクデータの送信がmeasurement gap測定期間においてあるかどうかを判断し、measurement gap測定期間においてあると、今回前記端末に対してスケジューリングを行わなく、measurement gap測定期間においてないと、前記端末を正常にスケジューリングするステップ2と、を実行することを備える端末スケジューリング方法。
【請求項２】
前記ステップ1の中に、前記端末のダウンリンクスケジューリング情報或はアップリンク許可情報の送信がmeasurement gap測定期間においてあるかどうかを判断する前記ステップは、
I、前記端末のダウンリンクスケジューリング情報の送信がmeasurement gap測定期間においてあるかどうかだけを判断すること、
II、前記端末のアップリンク許可情報の送信がmeasurement gap測定期間においてあるかどうかだけを判断すること、
III、前記端末のダウンリンクスケジューリング情報と前記端末のアップリンク許可情報のいずれかの送信がmeasurement gap測定期間においてあるかどうかを判断すること、の3つの判断の中のいずれかを行うことである請求項1に記載の方法。
【請求項３】
前記ステップ1の中に、実行するのは判断Iになると、前記ステップ2は、前記端末のダウンリンクスケジューリングフィードバックの送信がmeasurement gap測定期間においてあるかどうかを判断し、measurement gap測定期間においてるあると、今回前記端末に対してスケジューリングを行わなく、measurement gap測定期間においてるないと、前記端末を正常にスケジューリングすることを備え、或は、
前記ステップ1の中に、実行するのは判断IIになると、前記ステップ2は、前記端末のアップリンクデータフィードバックと前記端末アップリンク許可が対応するアップリンクデータとのいずれかの送信がmeasurement gap測定期間においてあるかどうかを判断し、measurement gap測定期間においてあると、今回前記端末に対してスケジューリングを行わなく、measurement gap測定期間においてないと、前記端末を正常にスケジューリングすることを備え、或は、
前記ステップ1の中に、実行するのは判断IIIになると、前記ステップ2は、前記端末のダウンリンクスケジューリングフィードバックと、前記端末のアップリンクデータフィードバックと、前記端末アップリンク許可が対応するアップリンクデータとのいずれかの送信がmeasurement gap測定期間においてあるかどうかを判断し、measurement gap測定期間においてあると、今回前記端末に対してスケジューリングを行わなく、measurement gap測定期間においてないと、前記端末を正常にスケジューリングすることを備える、請求項2に記載の方法。
【請求項４】
前記端末のダウンリンクスケジューリング情報の送信がmeasurement gap測定期間においてあるかどうかを判断する前記ステップは、システム側が前記端末のmeasurement gap配置によって前記端末のダウンリンクスケジューリング情報の送信がmeasurement gap測定期間においてあるかどうかを判断することを備え、
前記端末のアップリンク許可情報の送信がmeasurement gap測定期間においてあるかどうかを判断する前記ステップは、システム側が前記端末のmeasurement gap配置によって前記端末のダウンリンクスケジューリング情報の送信がmeasurement gap測定期間においてあるかどうかを判断することを備える、請求項1或は2に記載の方法。
【請求項５】
端末のアップリンクデータフィードバックの送信がmeasurement gap測定期間においてあるかどうかを判断する前記ステップは、システム側が前記端末の発信及び処理遅延によって前記端末のダウンリンクスケジューリングフィードバックの送信がmeasurement gap測定期間においてあるかどうかを判断することを備え、
前記端末アップリンク許可が対応するアップリンクデータの送信がmeasurement gap測定期間においてあるかどうかを判断する前記ステップは、システム側が前記端末のmeasurement gap配置によって前記端末のダウンリンクスケジューリング情報の送信がmeasurement gap測定期間においてあるかどうかを判断することを備え、
端末のダウンリンクスケジューリングフィードバックの送信がmeasurement gap測定期間においてあるかどうかを判断する前記ステップは、システム側が前記端末の発信及び処理遅延によって前記端末のダウンリンクスケジューリングフィードバックの送信がmeasurement gap測定期間においてあるかどうかを判断することを備える、請求項1或は3に記載の方法。
【請求項６】
前記システム側が前記端末をスケジューリングする前に、
現在サブフレームにおけるスケジューリングする必要がある端末の情報を取得し、スケジューリング策略によって前記端末をスケジューリングするステップaと、
取得した情報によって現在端末の状態が測定であるかどうかを判断し、測定であると、ステップcを実行し、測定でないと、直接に前記端末をスケジューリングするステップbと、
前記端末の現在の測定がmeasurement gap測定であるかどうかを判断し、measurement gap測定であると、ステップ1を実行し、measurement gap測定でないと、直接に前記端末をスケジューリングするステップcとの操作を実行することをさらに備える請求項1に記載の方法。
【請求項７】
前記端末のスケジューリングが完了した後、前記方法は、システム側が現在サブフレームにおけるスケジューリングする必要がある端末のスケジューリングが完了したかどうかを判断し、完了であると、現在サブフレーム処理が終わり、さもないと、続いて次の端末をスケジューリングし、ステップaを実行するすることをさらに備える請求項6に記載の方法。
【請求項８】
前記の、端末をスケジューリングすることは、前記端末に対してダウンリンクスケジューリング或はアップリンク許可を行うことを指す請求項6或は7に記載の方法。
【請求項９】
端末スケジューリング装置であって、システム側に位置し、前記装置は判断モジュールとスケジューリングモジュールを備え、
前記判断モジュールは、測定ギャップ( measurement gap)測定状態における端末のダウンリンクスケジューリング情報或はアップリンク許可情報の送信がmeasurement gap測定期間においてあるかどうかを判断し、及び、前記端末のダウンリンクスケジューリングフィードバック、アップリンクデータフィードバック或はアップリンク許可が対応するアップリンクデータの送信がmeasurement gap測定期間においてあるかどうかを判断し、判断結果を前記スケジューリングモジュールに伝送するように設置され、
前記スケジューリングモジュールは、前記判断モジュールの判断結果によってダウンリンクスケジューリング情報、アップリンク許可情報、ダウンリンクスケジューリングフィードバック、アップリンクデータフィードバック、アップリンク許可が対応するアップリンクデータのいずれかの送信が全部measurement gap測定期間においてない端末をスケジューリングするように設置される端末スケジューリング装置。
【請求項１０】
現在サブフレームにスケジューリングする必要がある端末の情報を取得するように設置される端末情報取得モジュールをさらに備える請求項9に記載の装置。
【請求項１１】
前記判断モジュールはさらに、前記端末情報取得モジュールが取得した端末情報によって、スケジューリングする必要がある端末の状態が測定であるかどうかを判断し、且つ前記状態が測定である場合、前記端末の現在測定がmeasurement gap測定であるかどうかを判断するように設置される請求項10に記載の装置。
【請求項１２】
前記判断モジュールはさらに、前記情報取得モジュールが取得した端末の情報によって現在サブフレームにスケジューリングする必要がある端末のスケジューリングが完了したかどうかを判断するように設置され、
前記スケジューリングモジュールはさらに、測定状態におけるが、現在測定がmeasurement gap測定ではない端末及び測定状態においてない端末を直接にスケジューリングするように設置される請求項10に記載の装置。
【請求項１３】
前記判断モジュールは、
前記端末のダウンリンクスケジューリング情報があることを判断した時、さらに前記ダウンリンクスケジューリング情報の送信がmeasurement gap測定期間においてあるかどうかを判断し、measurement gap測定期間においてあると、今回前記端末に対してスケジューリングを行わなく、measurement gap測定期間においてないと、さらに前記端末のダウンリンクスケジューリングフィードバックの送信がmeasurement gap測定期間においてあるかどうかを判断し、measurement gap測定期間においてあると、今回前記端末に対してスケジューリングを行わなく、measurement gap測定期間においてないと、前記端末を正常にスケジューリングし、或は、
前記端末のアップリンク許可情報があることを判断した時、さらに前記アップリンク許可情報の送信がmeasurement gap測定期間においてあるかどうかを判断し、measurement gap測定期間においてあると、今回前記端末に対してスケジューリングを行わなく、measurement gap測定期間においてないと、さらに前記端末のアップリンクデータフィードバックと前記端末アップリンク許可が対応するアップリンクデータとのいずれかの送信がmeasurement gap測定期間においてあるかどうかを判断し、measurement gap測定期間においてあると、今回前記端末に対してスケジューリングを行わなく、easurement gap測定期間においてないと、前記端末を正常にスケジューリングし、或は、
前記端末のダウンリンクスケジューリング情報とアップリンク許可情報があることを判断した時、さらに前記端末のダウンリンクスケジューリング情報とアップリンク許可情報のいずれかの送信がmeasurement gap測定期間においてあるかどうかを判断し、measurement gap測定期間においてあると、今回前記端末に対してスケジューリングを行わなく、measurement gap測定期間においてないと、前記端末のダウンリンクスケジューリングフィードバックと、前記端末のアップリンクデータフィードバックと、前記端末アップリンク許可が対応するアップリンクデータとのいずれかの送信がmeasurement gap測定期間においてあるかどうかを判断し、measurement gap測定期間においてあると、今回前記端末に対してスケジューリングを行わなく、measurement gap測定期間においてないと、前記端末を正常にスケジューリングするように設置される請求項9に記載の装置。
【発明の詳細な説明】
【技術分野】
【０００１】
本発明はロング・ターム・エボリューション( Long Term Evolution、LTE)システム分野、特に端末スケジューリング方法及び装置に関する。
【０００２】
［背景技術］
無線セルラー通信システムにおいて、システム側は、情報のブロードキャストによって、セルにおける全部端末に対する配置が完全に同じの情報をブロードキャストし、無線リソースを節約し、且つ端末が、システムの放送した情報により十分なアクセス情報を取得してネットワークとの無線接続を確立する。
第3世代移動通信LTEシステムにおいて、測定ギャップ(measurement gap)のはじめの位置、周期及び間隔がRRC（Radio Resource Control、無線リソース制御）層によって配置される。端末が配置された測定周期によって測定を完了する。measurement gapの間に、端末がシステム側と通信できなく、即ちmeasurement gapの間に、通信が停止する。
measurement gapに基づくダウンリンク処理に対して、データをスケジューリングする時、ダウンリンクデータの送信がmeasurement gapと衝突してはいけないことだけを定義した。アップリンクフィードバックする場合に、端末がmeasurement gapの間におけると、端末がフィードバックしない。端末が非自己適応で再送信する時、システム側がそのフィードバックしない結果によって再送信し続け、即ちmeasurement gapの間に、端末が受信することができなく、フィードバックすることもできなく、したがって、このようにしてシステム側の任務が端末と同期外れることを引き起こす恐れがあり、同時にスケジューリングが役に立たないことによるリソースオーバヘッドを増加させ、システムの性能を低下させる。
【０００３】
［発明の開示］
［発明が解決しようとする課題］
本発明は解決しようとする技術課題は、端末スケジューリング方法及び装置を提供することである。本発明はシステムリソースを有効的に節約させる。
本発明は端末スケジューリング方法を提供し、該端末スケジューリング方法は
システム側が測定ギャップ(measurement gap)の測定状態に位置する端末をスケジューリングする必要がある時、
前記端末のダウンリンクスケジューリング情報或はアップリンク許可情報の送信がmeasurement gap測定期間においてあるかどうかを判断し、 measurement gap測定期間においてあると、今回前記端末に対してスケジューリングを行わなく、measurement gap測定期間においてないと、ステップ2を実行するステップ1と、
前記端末のダウンリンクスケジューリングフィードバック、アップリンクデータフィードバック或はアップリンク許可が対応するアップリンクデータの送信がmeasurement gap測定期間においてあるかどうかを判断し、measurement gap測定期間においてあると、今回前記端末に対してスケジューリングを行わなく、measurement gap測定期間においてないと、前記端末を正常にスケジューリングするステップ2と、を実行することを備える。
前記ステップ1の中に、前記端末のダウンリンクスケジューリング情報或はアップリンク許可情報の送信がmeasurement gap測定期間においてあるかどうかを判断する前記ステップは、
I、前記端末のダウンリンクスケジューリング情報の送信がmeasurement gap測定期間においてあるかどうかだけを判断すること、
II、前記端末のアップリンク許可情報の送信がmeasurement gap測定期間においてあるかどうかだけを判断すること、
III、前記端末のダウンリンクスケジューリング情報と前記端末のアップリンク許可情報のいずれかの送信がmeasurement gap測定期間においてあるかどうかを判断すること、の3つの判断の中のいずれかを行うことである。
前記ステップ1の中に、実行するのは判断Iになると、前記ステップ2は、前記端末のダウンリンクスケジューリングフィードバックの送信がmeasurement gap測定期間においてあるかどうかを判断し、measurement gap測定期間においてるあると、今回前記端末に対してスケジューリングを行わなく、measurement gap測定期間においてるないと、前記端末を正常にスケジューリングすることを備え、或は、
前記ステップ1の中に、実行するのは判断IIになると、前記ステップ2は、前記端末のアップリンクデータフィードバックと前記端末アップリンク許可が対応するアップリンクデータとのいずれかの送信がmeasurement gap測定期間においてあるかどうかを判断し、measurement gap測定期間においてあると、今回前記端末に対してスケジューリングを行わなく、measurement gap測定期間においてないと、前記端末を正常にスケジューリングすることを備え、或は、
前記ステップ1の中に、実行するのは判断IIIになると、前記ステップ2は、前記端末のダウンリンクスケジューリングフィードバックと、前記端末のアップリンクデータフィードバックと、前記端末アップリンク許可が対応するアップリンクデータとのいずれかの送信がmeasurement gap測定期間においてあるかどうかを判断し、measurement gap測定期間においてあると、今回前記端末に対してスケジューリングを行わなく、measurement gap測定期間においてないと、前記端末を正常にスケジューリングすることを備える。
前記方法において、前記端末のダウンリンクスケジューリング情報の送信がmeasurement gap測定期間においてあるかどうかを判断する前記ステップは、システム側が前記端末のmeasurement gap配置によって前記端末のダウンリンクスケジューリング情報の送信がmeasurement gap測定期間においてあるかどうかを判断することを備え、
前記端末のアップリンク許可情報の送信がmeasurement gap測定期間においてあるかどうかを判断する前記ステップは、システム側が前記端末のmeasurement gap配置によって前記端末のダウンリンクスケジューリング情報の送信がmeasurement gap測定期間においてあるかどうかを判断することを備える。
前記方法において、端末のアップリンクデータフィードバックの送信がmeasurement gap測定期間においてあるかどうかを判断する前記ステップは、システム側が前記端末の発信及び処理遅延によって前記端末のダウンリンクスケジューリングフィードバックの送信がmeasurement gap測定期間においてあるかどうかを判断することを備え、
前記端末アップリンク許可が対応するアップリンクデータの送信がmeasurement gap測定期間においてあるかどうかを判断する前記ステップは、システム側が前記端末のmeasurement gap配置によって前記端末のダウンリンクスケジューリング情報の送信がmeasurement gap測定期間においてあるかどうかを判断することを備え、
端末のダウンリンクスケジューリングフィードバックの送信がmeasurement gap測定期間においてあるかどうかを判断する前記ステップは、システム側が前記端末の発信及び処理遅延によって前記端末のダウンリンクスケジューリングフィードバックの送信がmeasurement gap測定期間においてあるかどうかを判断することを備える。
前記方法はさらに、前記システム側が前記端末をスケジューリングする前に、
現在サブフレームにおけるスケジューリングする必要がある端末の情報を取得し、スケジューリング策略によって前記端末をスケジューリングするステップaと、
取得した情報によって現在端末の状態が測定であるかどうかを判断し、測定であると、ステップcを実行し、測定でないと、直接に前記端末をスケジューリングするステップbと、
前記端末の現在の測定がmeasurement gap測定であるかどうかを判断し、measurement gap測定であると、ステップ1を実行し、measurement gap測定でないと、直接に前記端末をスケジューリングするステップcとの操作を実行することを備える。
前記端末のスケジューリングが完了した後、前記方法は、システム側が現在サブフレームにおけるスケジューリングする必要がある端末のスケジューリングが完了したかどうかを判断し、完了であると、現在サブフレーム処理が終わり、さもないと、続いて次の端末をスケジューリングし、ステップaを実行するすることをさらに備える。
前記方法において、前記の、端末をスケジューリングすることは、前記端末に対してダウンリンクスケジューリング或はアップリンク許可を行うことを指す。
上記技術問題を解決するために、本発明はさらに端末スケジューリング装置を提供し、システム側に位置し、前記装置は判断モジュールとスケジューリングモジュールを備え、
前記判断モジュールは、測定ギャップ( measurement gap)測定状態における端末のダウンリンクスケジューリング情報或はアップリンク許可情報の送信がmeasurement gap測定期間においてあるかどうかを判断し、及び、前記端末のダウンリンクスケジューリングフィードバック、アップリンクデータフィードバック或はアップリンク許可が対応するアップリンクデータの送信がmeasurement gap測定期間においてあるかどうかを判断し、判断結果を前記スケジューリングモジュールに伝送するように設置され、
前記スケジューリングモジュールは、前記判断モジュールの判断結果によってダウンリンクスケジューリング情報、アップリンク許可情報、ダウンリンクスケジューリングフィードバック、アップリンクデータフィードバック、アップリンク許可が対応するアップリンクデータのいずれかの送信が全部measurement gap測定期間においてない端末をスケジューリングするように設置される。
前記装置は、現在サブフレームにスケジューリングする必要がある端末の情報を取得するように設置される端末情報取得モジュールをさらに備える。
前記装置において、前記判断モジュールはさらに、前記端末情報取得モジュールが取得した端末情報によって、スケジューリングする必要がある端末の状態が測定であるかどうかを判断し、且つ前記状態が測定である場合、前記端末の現在測定がmeasurement gap測定であるかどうかを判断するように設置される請求項10に記載の装置。
前記判断モジュールはさらに、前記情報取得モジュールが取得した端末の情報によって現在サブフレームにスケジューリングする必要がある端末のスケジューリングが完了したかどうかを判断するように設置され、
前記スケジューリングモジュールはさらに、測定状態におけるが、現在測定がmeasurement gap測定ではない端末及び測定状態においてない端末を直接にスケジューリングするように設置される請求項10に記載の装置。
前記装置において、前記判断モジュールは、
前記端末のダウンリンクスケジューリング情報があることを判断した時、さらに前記ダウンリンクスケジューリング情報の送信がmeasurement gap測定期間においてあるかどうかを判断し、measurement gap測定期間においてあると、今回前記端末に対してスケジューリングを行わなく、measurement gap測定期間においてないと、さらに前記端末のダウンリンクスケジューリングフィードバックの送信がmeasurement gap測定期間においてあるかどうかを判断し、measurement gap測定期間においてあると、今回前記端末に対してスケジューリングを行わなく、measurement gap測定期間においてないと、前記端末を正常にスケジューリングし、或は、
前記端末のアップリンク許可情報があることを判断した時、さらに前記アップリンク許可情報の送信がmeasurement gap測定期間においてあるかどうかを判断し、measurement gap測定期間においてあると、今回前記端末に対してスケジューリングを行わなく、measurement gap測定期間においてないと、さらに前記端末のアップリンクデータフィードバックと前記端末アップリンク許可が対応するアップリンクデータとのいずれかの送信がmeasurement gap測定期間においてあるかどうかを判断し、measurement gap測定期間においてあると、今回前記端末に対してスケジューリングを行わなく、easurement gap測定期間においてないと、前記端末を正常にスケジューリングし、或は、
前記端末のダウンリンクスケジューリング情報とアップリンク許可情報があることを判断した時、さらに前記端末のダウンリンクスケジューリング情報とアップリンク許可情報のいずれかの送信がmeasurement gap測定期間においてあるかどうかを判断し、measurement gap測定期間においてあると、今回前記端末に対してスケジューリングを行わなく、measurement gap測定期間においてないと、前記端末のダウンリンクスケジューリングフィードバックと、前記端末のアップリンクデータフィードバックと、前記端末アップリンク許可が対応するアップリンクデータとのいずれかの送信がmeasurement gap測定期間においてあるかどうかを判断し、measurement gap測定期間においてあると、今回前記端末に対してスケジューリングを行わなく、measurement gap測定期間においてないと、前記端末を正常にスケジューリングするように設置される。
本発明はmeasurement gapに対して最適化操作を提案し、即ち、システム側が measurement gap測定状態に位置する端末をスケジューリングする時、端末のダウンリンクスケジューリング情報或はアップリンク許可情報がmeasurement gap測定期間に位置するかどうかを判断するだけでなく、端末のダウンリンクスケジューリングフィードバック、アップリンクデータフィードバック或はアップリンク許可が対応するアップリンクデータがmeasurement gap測定期間に位置するかどうかをも判断し、以上の情報の送信がいずれもmeasurement gap測定期間に位置していないと、システム側が該端末を正常にスケジューリングし、それによって端末処理が簡素化させ、且つシステム側にとって、measurement gapを配置した端末がフィードバックしないため引き起こしたデータ伝送失敗を避けてシステムリソースを節約させる。
【図面の簡単な説明】
【０００４】
【図１】本発明の前記装置の構成ブロック図。
【図２】本発明の前記方法のフローチャート。
【０００５】
［具体的な実施形態］
以下は図面と好ましい実施例を結合して本発明をさらに詳しく説明する。
図1に示すように、本発明の前記装置の構成ブロック図であり、端末情報取得モジュール、判断モジュール及びスケジューリングモジュールを備え、
端末情報取得モジュールは、現在サブフレームにスケジューリングする必要がある端末の情報を取得することに用いられる。
判断モジュールは、前記端末情報取得モジュールが取得した端末情報によってスケジューリングする必要がある端末の状態が測定であるかどうかを判断することと、且つ前記端末の状態が測定である時、前記端末の現在測定がmeasurement gap測定であるかどうかを判断することと、measurement gap測定状態における端末のダウンリンクスケジューリング情報或はアップリンク許可情報がmeasurement gap測定期間に送信されるかどうかを判断し、及び、前記端末のダウンリンクスケジューリングフィードバック、アップリンクデータフィードバック或はアップリンク許可が対応するアップリンクデータがmeasurement gap測定期間に送信されるかどうかを判断することと、現在サブフレームにスケジューリングする必要がある端末のスケジューリングが完了したかどうかを判断することと、判断結果を前記スケジューリングモジュールに伝送することと、判断モジュールが端末のmeasurement gap配置によって、端末のダウンリンクスケジューリング情報、アップリンク許可情報或はアップリンク許可が対応するアップリンクデータがmeasurement gap測定期間に送信されるかどうかを判断し、上記measurement gap配置にははじめの位置、周期及び測定ギャップを含み、且つ前記システム側で送信することと、端末の発信及び処理遅延によって、前記端末のダウンリンクスケジューリングフィードバック或アップリンクデータフィードバックがmeasurement gap測定期間に送信されるかどうかを判断することと、に用いられる。
前記スケジューリングモジュールは、判断モジュールが伝送してきた判断結果によって相応な端末をスケジューリングし、端末が測定状態に位置しないと、或は測定状態に位置するが、現在の測定がmeasurement gap測定ではないと、直接にスケジューリングすることと、端末がmeasurement gap測定状態に位置するが、そのダウンリンクスケジューリング情報或はアップリンク許可情報、ダウンリンクスケジューリングフィードバック、アップリンクデータフィードバック或はアップリンク許可が対応するアップリンクデータが、いずれもmeasurement gap期間に送信されないと、該端末をスケジューリングし、さもないと、該端末をスケジューリングしないことと、に用いられる。
図2に示すように、本発明の前記方法のフローチャートであり、以下のステップを備える。
ステップ201、システム側が現在サブフレームにおいてスケジューリングする必要がある端末の情報を取得し、スケジューリング策略によって前記端末をスケジューリングし、
ここで取得した前記端末の情報が、主に端末の現在状態が測定であるかどうかを判断するためであり、したがってここで取得した情報が主に端末の状態情報を指す。
スケジューリング策略が優先レベルスケジューリング策略或は他の策略であってもよい。
ステップ202、取得した情報によって現在端末の状態が測定であるかどうかを判断し、測定であると、ステップ203を実行し、さもないと、ステップ206を実行し、
ステップ203、前記端末の現在測定がmeasurement gap測定であるかどうかを判断し、measurement gap測定であると、ステップ204を実行し、さもないと、ステップ206を実行し、
他の実施例に、上記ステップ202とステップ203を1つのステップにあわせてもよく、即ち、現在端末の状態がmeasurement gap測定状態であるかどうかを判断し、measurement gap測定状態であると、続けて後続の判断ステップを実行し、さもないと、前記端末を正常にスケジューリングする。
ステップ204、前記端末のダウンリンクスケジューリング情報或はアップリンク許可情報の送信がmeasurement gap期間においてあるかどうかを判断し、measurement gap期間であると、ステップ207を実行し、さもないと、ステップ205を実行し、
ステップ205、前記端末のダウンリンクスケジューリングフィードバック、アップリンクデータフィードバック或はアップリンク許可が対応するアップリンクデータの送信がmeasurement gap期間においてあるかどうかを判断し、measurement gap期間であると、ステップ207を実行し、さもないと、ステップ206を実行し、
システム側は、端末のmeasurement gap配置によって端末のダウンリンクスケジューリング情報、アップリンク許可情報、アップリンク許可が対応するアップリンクデータの送信がmeasurement gap測定期間においてあるかどうかを判断し、端末のmeasurement gap配置にははじめの位置、周期及び測定ギャップを含み、且つ前記システム側で送信し（具体的な方法は36.331協議におけるmeasurement gapの配置を参考）、システム側は前記端末の発信及び処理遅延によって前記端末のダウンリンクスケジューリングフィードバック、アップリンクデータフィードバックの送信がmeasurement gap測定期間においてあるかどうかを判断し、現在のLTEシステム、周波数分割デュプレックス(FDD)モードの端末発信及び処理遅延が4msであり、時分割デュプレックス(TDD)モードが異なる配置によって端末の発信及び処理遅延が異なり、具体的にTS36.211協議を参考する。
上記ステップ204に、前記端末のダウンリンクスケジューリング情報或はアップリンク許可情報の送信がmeasurement gap期間においてあるかどうかを判断することが、
1)前記端末のダウンリンクスケジューリング情報の送信がmeasurement gap測定期間においてあるかどうかだけを判断すること、
2)前記端末のアップリンク許可情報の送信がmeasurement gap測定期間においてあるかどうかだけを判断すること、
3) 前記端末のダウンリンクスケジューリング情報と前記端末のアップリンク許可情報のいずれかの送信がmeasurement gap測定期間に送おいてあるかどうかを判断すること、の3つの判断の中のいずれかを行うことであり
●ステップ204が実行するのは判断1）である時、ステップ205が実行する判断は、
前記端末のダウンリンクスケジューリングフィードバックの送信がmeasurement gap期間においてあるかどうかを判断することであり、measurement gap期間であると、ステップ207を実行し、さもないと、ステップ206を実行する。
●ステップ204が実行するのは判断2）である時、ステップ205が実行する判断は、
前記端末のアップリンクデータフィードバック、前記端末アップリンク許可が対応するアップリンクデータ、のいずれかの送信がmeasurement gap期間においてあるかどうかを判断することであり、measurement gap期間あると、ステップ207を実行し、さもないと、ステップ206を実行する。
●ステップ204が実行するのは判断3）である時、ステップ205が実行する判断は、
前記端末のダウンリンクスケジューリングフィードバック、前記端末のアップリンクデータフィードバック、前記端末アップリンク許可が対応するアップリンクデータ、のいずれかの送信がmeasurement gap期間においてあるかどうかを判断することであり、measurement gap期間であると、ステップ207を実行し、さもないと、ステップ206を実行する。
ステップ204を実行するのは該端末のダウンリンクスケジューリング情報或はアップリンク許可情報があることを前提とし、ないと、ステップ204の判断を実行する必要がない。要するに、ダウンリンクスケジューリング情報、アップリンク許可情報、ダウンリンクスケジューリングフィードバック、アップリンクデータフィードバック或はアップリンク許可が対応するアップリンクデータがある前提で、上記いずれの情報がmeasurement gap期間に送信される可能性があると（基地局が送信する可能性があり、端末が送信する可能性もあり）、前記基地局がいずれも該端末をスケジューリングしない。
ステップ206、前記端末を正常にスケジューリングし、即ち前記端末に対してダウンリンクスケジューリング或はアップリンク許可を行い、ステップ208を実行し、
ステップ207、前記端末をスケジューリングしなく、
ステップ208、現在サブフレームにスケジューリングする必要がある端末のスケジューリングが完了したかどうかを判断し、完了であると、現在のサブフレーム処理が終わり、さもないと、ステップ209を実行し、
他の実施例の中に、現在サブフレームにおけるスケジューリングする必要がある端末のスケジューリングが完了した後、次のサブフレーム処理に移すことができる。
ステップ209、現在サブフレームの次の端末をスケジューリングし続け、ステップ202を実行する。
以上の方法により、仮にシステムは総計して50のサブフレーム（番号が1〜50である）を有し、各サブフレームに5つの端末（番号が1〜5である）がスケジューリングする必要があり、その中端末2はmeasurement gapが配置され、且つmeasurement gapのはじめの位置が第10個のサブフレームで、周期が6個のサブフレームで、測定ギャップが25個のサブフレームで、発射及び処理遅延が4msであり、他の端末はmeasurement gapが配置されないことをとし、measurement gapが配置されない端末に対して、いずれのサブフレームにおいても直接にスケジューリングし、端末2に対して、配置によって、それがサブフレーム10、11、12、13、14、15、41、42、43、44、45、46においてmeasurement gap測定を行い、即ち、サブフレーム10、11、12、13、14、15、41、42、43、44、45、46において、端末2に対してスケジューリングを行うかどうかが、ステップ204、205の判断結果で決まるのであり、ダウンリンクスケジューリング情報、アップリンク許可情報、ダウンリンクスケジューリングフィードバック、アップリンクデータフィードバック、アップリンク許可が対応するアップリンクデータが、いずれもmeasurement gap測定期間においていない場合、端末2に対してスケジューリングを行い、さもないと、端末2をスケジューリングしなく、他のサブフレームにおいては、直接に端末2をスケジューリングする。
以上は、本発明の好適な実施例に過ぎないもので、本発明を限定するためのものではなく、本発明の様々な変更と変化が可能であることは、当業者には明らかである。本発明の精神及び原則内においてなされた任意の修正、同等置き換え、改良などは本発明の保護範囲に含まれるべきである。
【０００６】
［工業上での実用性］
本発明はmeasurement gapに対して最適化操作を提案し、即ちシステム側がmeasurement gap測定状態における端末をスケジューリングする時、端末のダウンリンクスケジューリング情報或はアップリンク許可情報がmeasurement gap測定期間に位置するかどうかを判断するだけでなく、端末のダウンリンクスケジューリングフィードバック、アップリンクデータフィードバック或はアップリンク許可が対応するアップリンクデータがmeasurement gap測定期間に位置するかどうかをも判断し、以上の情報の送信がいずれもmeasurement gap測定期間においてないと、システム側が該端末を正常にスケジューリングし、端末処理を簡素化させ、且つシステム側にとって、measurement gapを配置した端末がフィードバックしないため引き起こしたデータ伝送失敗を避けてシステムリソースを節約させる。
【図１】
2012526503.tif 000003
【図２】
2012526503.tif 000004
【国際調査報告】
2012526503.tif 000005
2012526503.tif 000006
2012526503.tif 000007
2012526503.tif 000008
2012526503.tif 000009
2012526503.tif 000010
2012526503.tif 000011